(57)【要約】【課題】容器に収納された液状の内容物を片手だけでカップに移し替えることが容易にでき、しかも容器外面への内容物の液だれを防止できるカップ付容器を提供する。【解決手段】ポンプ操作或いは押圧操作により、液状の内容物を吐出可能となした吐出容器２と、吐出容器２に着脱自在に取り付けたカップ３とを有するカップ付容器１であって、カップ３の底部に上方へ突出する嵌合筒部３ａを設け、吐出容器２に、カップ３を着脱自在に内嵌保持する有底な筒状のカップホルダ本体６ａと、カップホルダ本体６ａの底部に上方へ突出状に設けた吐出筒部６ｂとを有するカップホルダ６を設け、カップ３の嵌合筒部３ａを吐出筒部６ｂに外嵌させて、カップホルダ６にカップ３を内嵌保持させた状態で、ポンプ操作或いは押圧操作により内容物を吐出筒部６ｂの上端開口部から吐出させて、カップ３内に内容物を供給する。【選択図】図１
2009227307.tif 000002
【特許請求の範囲】
【請求項１】
ポンプ操作或いは押圧操作により、液状の内容物を吐出可能となした吐出容器と、吐出容器に着脱自在に取り付けたカップとを有するカップ付容器であって、
前記カップの底部に上方へ突出する嵌合筒部を設け、
前記吐出容器に、前記カップを着脱自在に内嵌保持する有底な筒状のカップホルダ本体と、カップホルダ本体の底部に上方へ突出状に設けた吐出筒部とを有するカップホルダを設け、
前記カップの嵌合筒部を吐出筒部に外嵌させて、カップホルダにカップを内嵌保持させた状態で、ポンプ操作或いは押圧操作により内容物を吐出筒部の上端開口部から吐出させて、カップ内に内容物を供給することを特徴とするカップ付容器。
【請求項２】
前記カップホルダの上面開口部に蓋部材を設け、カップホルダ本体の周壁上部に１対の切欠部を設けていることを特徴とする請求項１記載のカップ付容器。
【請求項３】
前記蓋部材の下面に前記吐出筒部から上方へ吐出させた内容物をカップ内へ案内するガイド筒部を一体的に設けていることを特徴とする請求項２記載のカップ付容器。
【請求項４】
前記カップホルダの底部上面或いはカップの底部下面に突起を設けていることを特徴とする請求項１〜３のいずれか１項記載のカップ付容器。
【請求項５】
前記吐出筒部の上端部に、前記内容物の吐出方向を側方に切り替える吐出方向切替部を形成していることを特徴とする請求項１〜４のいずれか１項記載のカップ付容器。
【発明の詳細な説明】
【技術分野】
【０００１】
本発明は、容器に収納されている液状の内容物を移し替えるためのカップを備えたカップ付容器に関するものである。
【背景技術】
【０００２】
洗口液や洗眼液、うがい薬や飲み薬、柔軟剤や漂白剤等のように、計量カップに一定量を移し替えて使用する液状の内容物を収納するための容器として、容器本体と蓋とを備えた一般的な構成の容器が広く採用されている。このような一般的な構成の容器に収納した内容物を使用する際には、容器本体から蓋を外した後、一方の手で計量カップを保持するとともに、他方の手で内容物が入った容器本体を保持し、容器本体を傾けて内容物をカップに移し替えて使用することになる。また、内容物を移し替える計量カップとしては、容器本体に螺合されるキャップ（蓋）を計量カップとして利用できるように構成したものや、容器とは別個に計量カップを備えさせたりしたものが広く採用されている。
【０００３】
また、シャンプーやリンス、ハンドソープなどの比較的粘性の高い液状の内容物を収納する容器として、手動ポンプを備えた容器も広く実施されている。この容器では、容器本体を台上に載置した状態で、一方の手で手動ポンプのヘッド部を上下方向に押動操作（ポンプ操作）し、他方の手でヘッド部から吐出される内容物を受け取るように構成されている。このため、この容器では、容器本体を手で持ち上げることなく、内容物を注出することができる。
【０００４】
ところで、この手動ポンプを備えた容器では、上下方向に押動操作するヘッド部から内容物が吐出されるので、一方の手で手動ポンプのヘッド部を上下方向に押動操作し、他方の手でヘッド部から吐出される内容物を受け取ることは比較的容易に行えるが、他方の手にカップを保持し、これに内容物を吐出させることは、カップとヘッド部の位置関係が安定しないことから、極めて困難な作業となる。そこで、手動ポンプを備えた容器において、カップ内へ内容物を容易に吐出できるように、手動ポンプのヘッド部に着脱可能に取り付けられる固定部と、カップを着脱可能に支持するキャップ部とを有するアダプタを備えた容器も提案されている（例えば、特許文献１参照。）。
この特許文献１記載の容器では、カップをキャップ部に取り付けた状態で、手動ポンプを上下方向に押動操作することにより、他方の手でカップを保持することなく、手動ポンプのヘッド部からカップへ容易に内容物を注出することができる。そして、内容物の注出後、カップをキャップ部から取り外して内容物を使用し、また使用後にはカップをキャップ部に取り付けて容器を保管することができる。
【０００５】
一方、容器本体の胴部を押圧操作して内容物を取り出し可能なスクイズ容器として、胴部を押圧操作可能な容器本体と、底部の中央に上方に突出した嵌合筒部を有する筒状のカップと、前記容器本体の上端開口部に嵌合装着した基部と、前記基部の中央に穿設させた透孔の外周縁より上方へ起立した上面開口の注出筒部と、前記注出筒部に前記カップを外嵌させた状態でカップを被覆し、容器本体に装着されるキャップ部とからなる計量具付スクイズ容器が提案されている（例えば、特許文献２参照。）。
この計量具付スクイズ容器では、容器本体の胴部を押圧操作すると、容器本体に収納された内容物が注出筒部を通じてカップに注出される。そして、キャップ部を容器本体から取り外した後に、カップを容器本体から取り出し、当該カップに注出された内容物を使用し、また使用後にはカップを注出筒部に外嵌させ、キャップを容器本体の上端部に螺合して、容器を保管できるように構成されている。
【特許文献１】実開平６−７６１０３号
【特許文献２】実開平３−６０２５９号
【発明の開示】
【発明が解決しようとする課題】
【０００６】
しかしながら、前記容器本体と蓋とを備えた一般的な構成の容器では、内容物が収納された容器本体を一方の手で保持するとともに、他方の手でカップを保持し、容器本体を傾けてカップに内容物を注ぐ必要があり、内容物が入った容器本体を片手で持ち上げなければならず、握力の弱い子供や高齢者や上肢に何らかの障害がある人にとっては、このような内容物の注出作業に不便さを感じたり困難さを感じたりする場合が少なからずあった。また、子供や高齢者や上肢に何らかの障害がある人等が容器本体を保持している手を滑らせ容器本体を横転させ、収納されている内容物をこぼしてしまうこともあった。加えて、内容物をカップに注ぐときには、カップと容器本体とをそれぞれ保持する必要性があり、怪我などで両手を同時に使えない人や上肢に何らかの障害がある人にとっては、他の人の補助や道具などを必要としなければならなかった。
【０００７】
また、上記特許文献１記載の容器では、キャップ部にカップを取り付けた状態で、片手で手動ポンプのヘッド部を上下方向に押動させることで、容器内の内容物をカップに注出できるので、両手を同時に使えない人や上肢に何らかの障害のある人でも容易に操作することができる。しかしながら、キャップ部の下側にカップが支持される関係上、キャップ部に対してカップを取り付ける際に、キャップ部におけるカップの取付部を目視できず、カップの取り付けに手間取るという問題があった。また、キャップ部に対して側方よりカップを嵌合させて、キャップ部にカップを取り付ける関係上、一方の手で容器本体を保持し、他方の手でカップを保持した状態で、カップを取り付ける必要があり、両手を同時に使えない人や上肢に何らかの障害のある人にとって、取り扱い難いものであった。更に、内容物の使用時等において、カップの外周面に内容物が付着すると、この付着した内容物が液だれし、容器本体の外面を汚したり、容器本体を載置している台に付着することがあった。加えて、カップが容器本体よりも水平方向外側に突出しているので、カップが他物に接触して脱落することがあった。
【０００８】
さらに、上記特許文献２記載のスクイズ容器では、前記キャップが容器本体に螺合されているため、片手だけではキャップを容器本体から取り外すことが困難であり、両手で操作する必要性があるので、前記と同様に、両手を同時に使えない人や上肢に何らかの障害がある人にとっては操作し難いものであった。
また、注出筒部から吐出される内容物の一部が、注出筒部とそれに外嵌される嵌合筒部との隙間を通って、容器本体の外面に液だれして、容器本体を汚してしまったり、容器本体とキャップの螺合部分で固化して、キャップが取り外し難くなったりするなどの問題があった。更に、内容物が注出筒部から上方へ噴き上がらないようにするため、注出筒部から吐出される内容物をカップ内へ案内する案内通路を形成したキャップ状部材を嵌合筒部の上端部に取り付けているので、キャップ状部材内に形成した案内通路に、内容物が残留して固化することがあった。
【０００９】
本発明は、係る問題に鑑み、容器に収納された液状の内容物を片手だけでカップに移し替えることが容易にでき、しかも容器外面への内容物の液だれを防止できるカップ付容器を提供することを目的とする。
【課題を解決するための手段】
【００１０】
本発明に係るカップ付容器は、ポンプ操作或いは押圧操作により、液状の内容物を吐出可能となした吐出容器と、吐出容器に着脱自在に取り付けたカップとを有するカップ付容器であって、前記カップの底部に上方へ突出する嵌合筒部を設け、前記吐出容器に、前記カップを着脱自在に内嵌保持する有底な筒状のカップホルダ本体と、前記カップホルダ本体の底部に上方へ突出状に設けた吐出筒部とを有するカップホルダを設け、前記カップの嵌合筒部を吐出筒部に外嵌させて、カップホルダにカップを内嵌保持させた状態で、ポンプ操作或いは押圧操作により内容物を吐出筒部の上端開口部から吐出させて、カップ内に内容物を供給することを特徴とするものである。
【００１１】
前記カップホルダの上面開口に蓋部材を設け、カップホルダ本体の周壁上部に１対の切欠部を設けてもよい。
【００１２】
前記蓋部材の下面に前記吐出筒部から上方へ吐出させた内容物をカップ内へ案内するガイド筒部を一体的に設けてもよい。
【００１３】
前記カップホルダの底部上面或いはカップの底部下面に突起を設けてもよい。
【００１４】
前記吐出筒部の上端部に、前記内容物の吐出方向を側方に切り替える吐出方向切替部を形成してもよい。
【発明の効果】
【００１５】
本発明に係るカップ付容器によれば、カップホルダにカップを内嵌させた状態で、ポンプ操作或いは押圧操作を行うことにより、吐出筒部からカップ内に内容物を吐出させることができる。そのため、容器本体を持ち上げることなく、片手で操作して内容物をカップ内に移し替えることが可能となり、子供や高齢者や上肢に何らかの障害がある人でも容易に操作できる。
【００１６】
また、有底筒状のカップホルダ本体にカップを内嵌保持するので、カップに内容物が付着していたとしても、この付着した内容物はカップホルダ本体内に溜まり、容器外面側へ液だれすることはないので、液だれにより容器外面が汚れることを防止できる。
【００１７】
また、カップホルダ本体の周壁上部に１対の切欠部を設けると、この切欠部に指を挿入してカップを摘み、カップホルダに対してカップを容易に着脱することができる。また、カップホルダの上方へカップを持ち上げて、カップホルダからカップを取り出すことができるので、側方へカップを移動させる場合と比較して、カップを取り出すときにおける、カップ内の内容物の揺れを少なくして、内容物がカップから零してしまうことを防止できる。さらに、この切欠部により、カップとカップホルダとの間に空気が入りやすくなるため、カップとカップホルダとの密着を防ぎ、よりカップを取り出しやすくすることができる。
【００１８】
ここで、前記カップホルダの上面開口を開閉可能な蓋部材を備えさせると、ポンプ操作により内容物を吐出させる容器において、蓋部材を押下するだけで内容物をカップ内に吐出させることができる。また、保管時におけるカップ内への異物の侵入も蓋部材で防止できる。
【００１９】
前記蓋部材の下面にガイド筒部を備えさせると、蓋部材とカップホルダとの嵌合部からカップホルダの外面側へ、内容物が漏れ出すことを確実に防止できる。つまり、吐出筒部から上方へ吐出された内容物は、蓋部材の下面に当たって、カップ内に流入するが、その一部は蓋部材の下面に沿って、蓋部材とカップホルダとの嵌合部間へ移動しようとする。本発明では、蓋部材の下面に沿って外周側へ移動する内容物の流れを、ガイド筒部により下側へ切替えて、該内容物をガイド筒部の下端部からカップ内へ滴下させることで、蓋部材とカップホルダとの嵌合部間に内容物が浸入することを防止して、嵌合部からカップホルダの外面側へ内容物が漏れ出すことを確実に防止できる。
【００２０】
カップホルダの底部上面に突起を設けたり、或いはカップの底面下部に突起を設けることによって、カップの底部下面とカップホルダの底部上面に隙間を設けることができ、カップとカップホルダとの密着を防止して、より一層カップを取り出しやすくすることができる。
【００２１】
吐出方向切替部を吐出筒部の上端部に形成し、容器の内容物を側方に吐出させる場合には、内容物が蓋部材の下面に接触することを防止して、蓋部材の下面を伝って内容物が外部に漏れ出すことを未然に防止できる。また、内容物を側方に吐出させるので、蓋部材を開放した状態でも内容物をカップに吐出させることができる。このため、カップに対する内容物の吐出量を目視しながら、内容物を吐出させることができ、カップに対して適量の内容物を容易に吐出させることができる。
【発明を実施するための最良の形態】
【００２２】
本発明に係るカップ付容器は、液状の内容物を収納し、この内容物を吐出可能となした吐出容器と、吐出容器に着脱自在に取り付けたカップとを備えている。
吐出容器に収納される内容物は、洗口液や洗眼液、うがい薬や飲み薬、醤油やソースや液状甘味料等の調味料、ごま油やサラダ油等の食用油、柔軟剤や漂白剤、シャンプーやリンスやハンドソープ等の液体であるが、手動ポンプのポンプ操作や押圧容器の押圧操作によって吐出可能なもので有れば、上記以外の内容物を収納することもできる。
以下に説明する第１実施形態のカップ付容器は、吐出容器に収納された内容物をポンプ操作でカップに吐出するカップ付容器に関するものであり、第２実施形態のカップ付容器は、吐出容器に収納された内容物を押圧操作でカップに吐出するカップ付容器に関するものである。
【００２３】
第１実施形態のカップ付容器１は、図１〜図５に示すように、カップ３と、液状の内容物をカップ３に吐出する吐出容器２とから構成されている。
吐出容器２は、液状の内容物を収納する容器本体４と、容器本体４の上端開口部に気密状に取り付けた手動ポンプ５と、手動ポンプ５の吐出管５ｂの上端に着脱自在に取り付けたカップホルダ６とを備え、カップホルダ６にカップ３を内嵌させた状態で、カップホルダ６を上下方向に押動させることで、内容物をカップ３内に吐出可能となしたものである。
【００２４】
手動ポンプ５は、容器本体４内の内容物を上方へ吸い上げるポンプ本体５ａと、ポンプ本体５ａによって吸い上げた内容物を吐出する筒状の吐出管５ｂと、容器本体４の口部４ａに螺合されて、容器本体４の口部４ａを気密に封止するとともに手動ポンプ５を容器本体４に固定支持するポンプ固定部材５ｃと、ポンプ本体５ａの下端に接続され、容器本体４の内部底面まで垂下した吸い上げパイプ５ｄとを備え、次のように構成されている。尚、手動ポンプ５としては、カップホルダ６を上下方向に押動させることで、内容物を吐出可能なものであれば、以下に説明する構成以外の任意の構成のものを採用することができる。
【００２５】
ポンプ本体５ａについて説明すると、図３、図４に示すように、容器本体４の上部内には円筒状のポンプケース５ｐが設けられ、ポンプケース５ｐの上部にはフランジ部５ｑが形成され、ポンプケース５ｐは、フランジ部５ｑの外周部を容器本体４の口部４ａとポンプ固定部材５ｃ間に挟持して容器本体４に気密状に固定支持されている。
【００２６】
ポンプケース５ｐの上端部には栓部材５ｒが外嵌固定され、栓部材５ｒの中央部には吐出管５ｂを上下方向に移動自在に案内する案内スリーブ５ｓが一体的に形成されている。吐出管５ｂのうちの案内スリーブ５ｓから下側へ突出する部分の上部には鍔部５ｉが形成され、吐出管５ｂは、鍔部５ｉが案内スリーブ５ｓの下端部に当接することで、図３に示す初期位置に保持されている。
【００２７】
吐出管５ｂの下端部にはピストン部材５ｇが上下方向に移動自在に外嵌され、ピストン部材５ｇはポンプケース５ｐに上下移動自在に液密状に内嵌されている。吐出管５ｂの下端部には、吐出管５ｂに内嵌される通路形成部５ｈと、ピストン部材５ｇの下面に当接する略円板状の接当片５ｊと、接当片５ｊの中央部から下方へ延びる位置決めピン５ｔを有するプラグ５ｕが設けられ、プラグ５ｕを吐出管５ｂに取り付けた状態で、接当片５ｊと吐出管５ｂの下端部間には一定の隙間が形成される。ピストン部材５ｇの下側におけるポンプケース５ｐの下部内には貯留室５ｎが形成され、貯留室５ｎ内にはバネ部材５ｋが内装され、プラグ５ｕとピストン部材５ｇと吐出管５ｂとはこのバネ部材５ｋにより常時上方へ付勢されている。ポンプケース５ｐの下端部内にはポンプケース５ｐの下端開口５ｅを開閉するための開閉ボール５ｆが設けられ、この開閉ボール５ｆはバネ部材５ｋによりその移動が制限され、貯留室５ｎにおける内圧変化により開口５ｅを確実に開閉できるように構成されている。
【００２８】
この手動ポンプ５において、図３に示す初期位置から図４に示す下降位置側へ、カップホルダ６を手で押下すると、吐出管５ｂ及びプラグ５ｕはそのまま下方へ移動するが、ピストン部材５ｇは、図４に示すように、鍔部５ｉがピストン部材５ｇに当接するまでは、貯留室５ｎの内圧が高くなることから、吐出管５ｂに沿って相対的に上方へ移動し、これによりピストン部材５ｇの下端が接当片５ｊから離間して、吐出管５ｂ内の通路の下端部が通路形成部５ｈを介して貯留室５ｎ内に開口する。そして、ピストン部材５ｇが鍔部５ｉに当接してから、更に吐出管５ｂが押し下げられると、吐出管５ｂ及びプラグ５ｕとともにピストン部材５ｇが下方へ移動し、貯留室５ｎの内圧が上昇して、貯留室５ｎの内容物が吐出管５ｂの内部を通って、カップホルダ６の吐出筒部６ｂから吐出される。
【００２９】
一方、カップホルダ６を押下していた手を離すと、吐出管５ｂ及びプラグ５ｕは、図４に示す下降位置から、図３に示す初期位置へ、バネ部材５ｋの付勢力によりそのまま上方へ移動するが、ピストン部材５ｇは、図３に示すように、接当片５ｊがピストン部材５ｇの下端に当接するまでは、貯留室５ｎの内圧が低くなることから、吐出管５ｂに沿って相対的に下方へ移動し、これによりピストン部材５ｇの下端に接当片５ｊが圧接されて、吐出管５ｂ内の通路の下端部が閉じられる。そして、接当片５ｊがピストン部材５ｇの下端に当接してから、更にバネ部材５ｋの付勢によりプラグ５ｕとともに吐出管５ｂが上方へ移動しようとすると、接当片５ｊの上面でピストン部材５ｇがプラグ５ｕ及び吐出管５ｂとともに上方へ押し上げられて、貯留室５ｎの内圧が低下し、容器本体４内の内容物が吸い上げられて、貯留室５ｎに貯留される。
【００３０】
次に、カップホルダ６について説明する。
カップホルダ６は、図１〜図４に示すように、有底筒状のカップホルダ本体６ａと、カップホルダ本体６ａの底面の中央から上方に向かって突出した吐出筒部６ｂと、カップホルダ本体６ａの上端開口を閉じる蓋部材６ｃとを備えている。
【００３１】
カップホルダ６の底面には吐出筒部６ｂに連通する筒状の固定部６ｄが下方へ突出状に形成され、カップホルダ６は、固定部６ｄ内に手動ポンプ５の吐出管５ｂの上端部を嵌入させることによって、手動ポンプ５に固定支持されている。また、カップホルダ６を上下にポンプ操作すると、手動ポンプ５の吐出管５ｂが上下方向に移動し、容器本体４に収納されている内容物が吸い上げられ、該内容物が吐出筒部６ｂを通って、吐出筒部６ｂの上端部６ｊの開口からカップ３内に吐出される。
【００３２】
図１〜図３に示すように、カップホルダ本体６ａと蓋部材６ｃとは一体ヒンジ６ｈを介して開閉自在に連結され、合成樹脂材料を用いて射出成形などにより一体成形されている。なお、カップホルダ本体６ａと蓋部材６ｃとを別部材で構成し、ヒンジピンなどによって開閉自在に連結することも可能である。
【００３３】
蓋部材６ｃの内面６ｇには円筒状のガイド筒部６ｆが突出状に設けられている。このガイド筒部６ｆは、図３に示すように、蓋部材６ｃでカップホルダ本体６ａの上面開口を閉じた状態において、平面視でガイド筒部６ｆの内側に吐出筒部６ｂが配置され、且つ、ガイド筒部６ｆの下端部６ｉが吐出筒部６ｂの上端部６ｊよりやや下方に位置するように設けられている。したがって、吐出筒部６ｂから吐出される内容物は、蓋部材６ｃの内面６ｇとガイド筒部６ｆとによりカップ３内へ案内されることになる。しかも、蓋部材６ｃの内面６ｇに付着して外周側へ流れる内容物は、ガイド筒部６ｆにおいて下側へ方向が切替えられて、ガイド筒部６ｆの下端部からカップ３内に滴下するので、蓋部材６ｃとカップホルダ本体６ａとの嵌合部の隙間を通ってカップホルダ本体６ａの外面側へ漏れ出すことが防止される。
【００３４】
カップホルダ本体６ａの周壁には、図１（ａ）に示すように、一体ヒンジ６ｈを基準にして平面視において周方向両側へ約９０°振った位置に、１対の切欠部６ｅが対向して設けられている。切欠部６ｅは、カップホルダ本体６ａの周壁の上端部から高さ方向の途中部までを略Ｕ字状に切り欠いて形成され、これら１対の切欠部６ｅに例えば親指と人差し指を挿入して、カップホルダ６に内嵌されているカップ３を指で摘んで容易に取り出すことができる。切欠部６ｅの大きさは、例えばカップホルダ本体６ａの周方向に２ｃｍ〜３ｃｍの幅で、上下方向に１．５ｃｍ〜２．５ｃｍ程度の深さに設定されている。さらに、図１（ａ）に示すように、切欠部６ｅは、上側へ行くにしたがって周方向に大きく開口され、カップホルダ本体６ａに触れることなく、カップ３を摘めるように構成されている。なお、切欠部６ｅの下端は、図１ではカップホルダ本体６ａの内部底面より上方に位置させたが、カップホルダ本体６ａの内部底面と同じ高さ位置に配置させて、カップホルダ本体６ａ内の清掃性を向上させてもよい。
【００３５】
図１〜図４に示すように、カップホルダ本体６ａの内周面及びカップ３の外周面は、上方へ行くにしたがって直径が大きくなる上方広がりの円筒状にそれぞれ形成され、カップホルダ本体６ａに対して僅かな隙間をあけてカップ３を内嵌できるように、両者は略同じ大きさの相似形に形成されている。カップ３の底部下面には、底面の中央を中心として周方向に１２０度の間隔をあけて３つの突起３ｃが形成され、これらの３つの突起３ｃによってカップ３の底部下面とカップホルダ本体６ａの底部上面とが密着しないように構成されている。なお、突起３ｃはカップホルダ本体６ａの底部上面に設けてもよい。また、突起３ｃの形状や個数は任意に設定でき、例えば細長いリブ状に形成することもできる。
【００３６】
カップホルダ本体６ａの吐出筒部６ｂの外周面及びカップ３の嵌合筒部３ａの内周面は、上方に行くにしたがってその外径が小さくなる先細な円筒状にそれぞれ形成されている。嵌合筒部３ａの上端部には吐出筒部６ｂに液密状に嵌合可能な環状のシール部３ｂが内側へ向けて突出状に形成され、カップ３をカップホルダ本体６ａに嵌合させた状態で、吐出筒部６ｂの上端部６ｊに嵌合筒部３ａのシール部３ｂが液密状に嵌合して、吐出筒部６ｂの上端開口から吐出した内容物が、吐出筒部６ｂと嵌合筒部３ａ間に浸入しないように構成されている。
【００３７】
また、カップ３をカップホルダ本体６ａに嵌合させて、吐出筒部６ｂの上端部に嵌合筒部３ａのシール部３ｂを嵌合させた状態で、吐出筒部６ｂと嵌合筒部３ａの上端部以外に僅かな隙間が形成され、またカップ３の外周面とカップホルダ本体６ａの内周面間にも僅かな隙間が形成されるように、カップ３とカップホルダ本体６ａの各部の寸法が設定されている。そして、このようにカップ３とカップホルダ本体６ａの各部の寸法が設定されるとともに、前述のように、カップ３の底部下面とカップホルダ本体６ａの底部上面間には突起３ｃにより隙間が形成されるので、吐出筒部６ｂと嵌合筒部３ａの上端部以外において、カップホルダ本体６ａとカップ３の嵌合面間には外気導入可能な隙間が形成されることになり、カップ３がカップホルダ本体６に密着して取り出しにくくなることを防止することができる。万一カップ３とカップホルダ本体６ａ間に内容物等の液体が浸入した場合でも、カップ３がカップホルダ本体６ａに密着することを防止して、カップホルダ本体６ａからカップ３を容易に抜き取ることができるように構成されている。
【００３８】
また、カップ付容器１では、吐出筒部６ｂの上端部６ｊが、カップホルダ本体６ａの上面開口より一段低い位置に設けられるとともに、吐出筒部６ｂ及び嵌合筒部３ａがカップホルダ本体６ａ及びカップ３の中央部に形成され、しかもカップ３の底面の外径はカップホルダ本体６ａの上端開口部の内径よりもかなり小さい直径に設定されている。また、カップ３の下端外周面をカップホルダ本体６ａの上端開口部に内接させた状態で、平面視において吐出筒部６ｂの上端部６ｊが嵌合筒部３ａの下端開口の内側に配置されるように、カップ３の底面の外径と、カップホルダ本体６ａの上端開口部の内径と、吐出筒部６ｂの上端部の外径と、嵌合筒部３ａの下端開口の内径がそれぞれ設定され、カップ３をカップホルダ本体６ａに容易に嵌合できるように構成されている。即ち、カップ３をカップホルダ本体６ａに嵌合させるときには、先ずカップ３の下端部をカップホルダ本体６ａの上端開口に位置合わせして挿入することになるが、カップホルダ本体６ａの開口を容易に目視でき、しかもカップ３の底面の外径がカップホルダ本体６ａの内径よりもかなり小さいことから、カップ３の下端部をカップホルダ本体６ａの上端開口に容易に位置合わせして挿入することが可能となる。しかも、カップ３の下端外周面をカップホルダ本体６ａの上端開口部に内接させた状態で、平面視において吐出筒部６ｂの上端部が嵌合筒部３ａの下端開口の内側に配置されるので、カップ３の下端部をカップホルダ本体６ａの上端開口に挿入させた状態から、カップホルダ本体６ａ内にカップ３を落とし込むことで、カップ３がカップホルダ本体６ａに嵌合するとともに、嵌合筒部３ａが吐出筒部６ｂに嵌合し、カップ３をカップホルダ本体６ａに対して容易に嵌合保持させることができる。尚、吐出筒部６ｂに対する嵌合筒部３ａの嵌合操作が一層円滑になされるように、嵌合筒部３ａの下端部を下方広がりのラッパ状に形成して、カップ３の底面中央部に下側広がりの案内面を形成することもできる。
【００３９】
カップ３は、不透明な素材で構成してもよいが、透明又は半透明な素材で構成すれば、図１に示すように、蓋部材６ｃを閉じ状態でも、カップホルダ６に設けた切欠部６ｅを通してカップ３への内容物の吐出量を視認できるので、内容物を吐出させ過ぎてカップ３から溢れ出すことを防止できるとともに、内容物の定量吐出が可能となるので好ましい。なお、定量吐出させる場合には、カップ３の外周面に内容量を示す目盛りを形成することもできる。
【００４０】
また、図２に示すように、嵌合筒部３ａのシール部３ｂと、カップホルダ６の吐出筒部６ｂの上端部６ｊとは、液密状に嵌合され、吐出筒部６ｂから吐出させた内容物が、嵌合筒部３ａと吐出筒部６ｂ間に浸入しないように構成されている。但し、例え嵌合筒部３ａと吐出筒部６ｂ間に内容物が浸入した場合でも、カップホルダ６が有底円筒状に形成されているので、この浸入した内容物はカップホルダ６内に溜まり、外部に漏れることはないので、内容物で容器本体４が汚れることを防止できる。
【００４１】
次に、カップ付容器１の使用方法について説明すると、先ず、図５（ａ）に示すように、カップ３をカップホルダ６に内嵌し、蓋部材６ｃでカップホルダ本体６ａの上端開口を閉じた状態で、図５（ｂ）に示すように、蓋部材６ｃの上面を片手でポンプ操作をする。このポンプ操作により、容器本体４に収納されていた液状の内容物が手動ポンプ５によって吸い上げられ、カップホルダ６を下側へ押し操作する毎に、カップホルダ６の吐出筒部６ｂからカップ３内に吐出される。内容物をカップ３に吐出した後には、図５（ｃ）に示すように、蓋部材６ｃを開け、１対の切欠部６ｅに指を挿入してカップ３を指で摘み、図５（ｄ）に示すようにカップ３を上方へ移動させて、カップホルダ６からカップ３を抜き取って、内容物を使用することになる。
【００４２】
一方、カップ３内の内容物を使用した後には、図５（ａ）に示すように、当該カップ３をカップホルダ６に内嵌させ、蓋部材６ｃを閉じる。カップ３をカップホルダ６に内嵌させるときには、カップホルダ本体６ａの上端開口を目視しながら、カップ３の下端部をカップホルダ本体６ａの上端部内に挿入し、この状態でカップ３を落とし込むことで、カップ３がカップホルダ本体６ａに内嵌されるとともに、嵌合筒部３ａが吐出筒部６ｂに外嵌され、カップホルダ６内にカップ３が収納保持されることになる。
【００４３】
なお、図６に示すように、カップホルダ本体６ａに、その外周壁から下方へ延出した筒状のスカート部６ｋを備えさせ、このスカート部６ｋで手動ポンプ５のポンプ固定部材５ｃを覆って、吐出管５ｂやポンプ固定部材５ｃが外部に露出することを避け、カップホルダ本体６ａとポンプ固定部材５ｃとが略同じ外径のスカート部６ｋで連続的に連なるように構成することで、カップ付容器１の美感を向上させてもよい。
【００４４】
このように、手動ポンプ５の吐出管５ｂの上端部にカップホルダ６を取り付けることによって、既存のポンプ式容器のヘッド部を吐出管から取り外し、同位置にカップホルダ６を置き換えるだけで、カップ付容器１を構成することができる。このため、カップホルダ６を製作するための設備は新設する必要はあるが、手動ポンプ５や容器本体４を製作するための設備は、そのまま既存設備を利用できるので、設備経済的な負担を少なくできる。また、この手動ポンプ５を備えたカップ付容器１では、手動ポンプ５の設計を調節することで、１回のポンプ操作により必要な分量の内容をカップ３内に定量吐出させることができる。
【００４５】
次に、押圧操作により内容物を吐出可能な吐出容器８を用いた第２実施形態のカップ付容器７について説明する。
このカップ付容器７は、図７、図８に示すように、押圧操作により内容物を吐出可能な吐出容器８と、吐出容器８に着脱自在に取り付けたカップ９とを備え、吐出容器８は、容器本体１１と、容器本体１１の上端開口部に気密状に取り付けられるとともにカップ９を保持するカップホルダ１０とを備えている。
【００４６】
容器本体１１は、第１実施形態で示した容器本体４と同様に液状の内容物を収納するが、第２実施形態における容器本体１１は、横断面が偏平な楕円形或いは小判型に形成され、容器本体１１の対向する側面（例えば、前面と後面）を押圧して容器本体１１の内圧を高め、吐出管１０ｅを通して、内容物をカップ９に吐出できるように構成されている。
【００４７】
カップホルダ１０は、図７〜図９に示すように、有底筒状のカップホルダ本体１０ａと、カップホルダ本体１０ａの底面中央から上方に向かって突出した吐出筒部１０ｂと、カップホルダ本体１０ａの上面開口を開閉可能な蓋部材１０ｃと、容器本体１１の上端部の口部に着脱可能に螺合されて、カップホルダ１０を容器本体１１に固定する取付部１０ｄと、上端部が吐出筒部１０ｂに接続され、下端部が容器本体１１の内部下端に配置された吐出管１０ｅを備えている。
【００４８】
カップホルダ本体１０ａの周壁には前記第１実施形態の切欠部６ｅと同様の構成の１対の切欠部１０ｆが対向して設けられ、この切欠部１０ｆに指を挿入して、カップ９を摘んで、カップホルダ本体１０ａからカップ９を容易に取り出せるように構成されている。
【００４９】
カップ９の底部の中央部には上方に突出する嵌合筒部９ａが設けられ、カップホルダ本体１０ａの底面中央には上方に突出する吐出筒部１０ｂが設けられ、カップ９をカップホルダ１０に内嵌保持させた状態で、この嵌合筒部９ａがカップホルダ１０の吐出筒部１０ｂに外嵌されるように構成されている。
【００５０】
なお、カップ９を構成する素材として透明又は半透明な素材を用いると、カップ９内への内容物の吐出量を側方からも確認できるので望ましい。ただし、このカップ付容器７においては、後述するように、蓋部材１０ｃを取り外した状態で容器本体１１を押圧操作して、内容物をカップ９内へと吐出でき、カップ９の上方からも吐出量を確認できるので、不透明な合成樹脂材料を用いて構成することも可能である。
【００５１】
吐出筒部１０ｂの上端には、吐出筒部１０ｂから吐出される内容物を側方に切り替える吐出方向切替部１０ｇが設けられている。この吐出方向切替部１０ｇは、カップ９をカップホルダ本体１０ａに収納した状態において、カップ９の嵌合筒部９ａの上端よりも上側に配置されている。また、吐出方向切替部１０ｇの上端は、内容物が上方に吐出するのを阻止する吐出阻止片１０ｎが設けられると共に、吐出方向切替部１０ｇの側面には、３つの吐出口１０ｈが設けられている。更に、吐出方向切替部１０ｇは、カップ９をカップホルダ本体１０ａに収納した状態において、カップ９の上面より下方に設けられている。このため、容器本体１１の押圧操作をすると、容器本体１１内の内容物は、吐出筒部１０ｂ内を通って吐出方向切替部１０ｇまで上方へ移動し、吐出阻止片１０ｎに当たって側方へ方向が切り替えられて、吐出口１０ｈからカップ９内に吐出されることになる。
【００５２】
次に、カップ９とカップホルダ本体１０ａとの嵌合部分の構成について説明するが、この嵌合部分の構成は、基本的には、前記第１実施形態におけるカップ３とカップホルダ本体６ａとの嵌合部分と同様に構成されているので簡単に説明する。
カップ９の嵌合筒部９ａの上端内周面には環状のシール部９ｃが突出形成され、カップ９をカップホルダ１０に内嵌保持させた状態で、このシール部９ｃがカップホルダ１０の吐出筒部１０ｂの上端近傍部１０ｉに液密状に嵌合するように構成され、吐出口１０ｈから吐出した内容物が、嵌合筒部９ａと吐出筒部１０ｂ間へ浸入することが防止されている。また、嵌合筒部９ａの上端のシール部９ｃと吐出筒部１０ｂの上端近傍部１０ｉとの嵌合面以外において、吐出筒部１０ｂと嵌合筒部９ａ間と、カップ９の外周面とカップホルダ本体１０ａの内周面間には、外気導入が可能な隙間が形成され、内容物がカップホルダ本体１０ａとカップ９との間に入ったとしても、カップホルダ本体１０ａ内に溜まり、容器本体１１の外面を汚すことがないように構成されている。
【００５３】
また、図９に示すように、蓋部材１０ｃの下面中央には、筒状の封止栓１０ｊが下方へ突出状に形成されている。この封止栓１０ｊの下端部の内周面にはテーパ面１０ｋが形成されており、図９（ａ）に示すように、蓋部材１０ｃでカップホルダ本体１０ａの上端開口を閉じたときに、嵌合筒部９ａの上端部がテーパ面１０ｋで案内されて、嵌合筒部９ａの上端部が封止栓１０ｊの下端部内に気密状に嵌合し、吐出筒部１０ｂの吐出口１０ｈが封止されて、輸送時等の振動で容器本体１１に力が加わった場合でも、容器本体１１の内容物が吐出口１０ｈから漏れ出さないように構成されている。尚、蓋部材１０ｃは、カップホルダ本体１０ａとは別部材で構成することもできるが、第１実施形態と同様に、一体ヒンジを介して開閉自在に連結してなる一体成形品で構成することも可能である。
【００５４】
カップ付容器７の使用方法について説明すると、先ず、図８（ａ），図９（ａ）に示しているように、蓋部材１０ｃを開け、容器本体１１を片手で前後に押圧操作する。この押圧操作により、容器本体１１の内圧が高くなり、容器本体１１に収納された内容物は、吐出管１０ｅ及び吐出筒部１０ｂを通り、吐出方向切替部１０ｇに到達する。吐出方向切替部１０ｇに到達した内容物は、吐出阻止片１０ｎによって側方に吐出方向が切り替えられ、吐出口１０ｈからカップ９内に吐出される。そして、適量の内容物をカップ９に吐出させた後、１対の切欠部１０ｆを通してカップ９を指で摘み、カップホルダ本体１０ａからその上方へカップ９を抜き取って、内容物を使用することになる。
【００５５】
一方、カップ９内の内容物を使用した後には、当該カップ９をカップホルダ１０に内嵌させ、蓋部材１０ｃを閉じる。カップ９をカップホルダ１０に内嵌させるときには、カップホルダ本体１０ａの上端開口を目視しながら、カップ９の下端部をカップホルダ本体１０ａの上端開口部内に挿入し、この状態でカップ９を落とし込むことで、カップ９がカップホルダ本体１０ａに内嵌されるとともに、嵌合筒部９ａが吐出筒部１０ｂに外嵌され、カップホルダ１０内にカップ９が収納保持されることになる。
【００５６】
このように、押圧操作により内容物を吐出可能な容器にカップ付容器７を適用することによって、容器本体１１を片手又は両手で押圧することで、内容物を容易にカップ９に吐出でき、しかも押圧操作量を加減することで、内容物の吐出量を調整できるので、定量取り出し可能な容器を実現できる。
【００５７】
次に、カップ及びカップホルダの各部の寸法の好適な範囲について説明する。尚、以下の説明では、カップ付容器１におけるカップ３及びカップホルダ６の各部の寸法の好適な範囲について説明するが、カップ付容器７におけるカップ９及びカップホルダ１０の各部の寸法の好適な範囲についても、カップ付容器１と同様に取り扱うことができる。
【００５８】
図１０に示すように、カップ３の上端開口の外径Ａは、２０ｍｍ未満だと、持ちにくく、カップ３内の液剤を口の中に注ぎにくくなり、７０ｍｍより大きいと、片手で持つことが難しくなるので、２０ｍｍ以上７０ｍｍ以下に設定することが好ましく、より好ましくは２５ｍｍ以上６０ｍｍ以下、特に好ましくは３０ｍｍ以上４５ｍｍ以下に設定することになる。
【００５９】
カップホルダ６の吐出筒部６ｂの上端部６ｊの内径Ｂは、１ｍｍ未満だと液剤がでにくくなって、詰まる恐れがあるので、１ｍｍ以上に設定することが好ましく、より好ましくは３ｍｍ以上に設定することになる。
【００６０】
カップ３の高さＣは、１５ｍｍ未満だと、持ちにくく、カップ３内の液剤を口の中に注ぎにくくなり、６５ｍｍより大きいと、片手で持つことが難しく、加えてポンプ式の場合には、ポンプ本体の吐出管の太さとの関係によってポンプ操作がし難くなる恐れがあるので、１５ｍｍ以上６５ｍｍ以下に設定することが好ましく、より好ましくは２５ｍｍ以上４５ｍｍ以下、特に好ましくは３０ｍｍ以上４０ｍｍ以下に設定することになる。
【００６１】
ガイド筒部６ｆの高さＤは、３ｍｍ未満だと、液剤の飛散を効果的に防ぐことができず、１５ｍｍより大きいと、下端部がカップ３内の液剤表面に接する恐れや、蓋が閉まりにくくなる恐れがあるので、３ｍｍ以上１５ｍｍ以下に設定することが好ましく、より好ましくは５ｍｍ以上１０ｍｍ以下に設定することになる。
【００６２】
カップ３の周壁の上端部の傾きＥは、３０度よりも大きいと片手で持ちにくく、口の中にも注ぎ難いので、０度以上３０度以下に設定することが好ましく、より好ましくは１度以上１５度以下、特に好ましくは３度以上１０度以下に設定することになる。
【００６３】
次に、カップホルダに対するカップの入れやすさを検証するために行なった試験について説明する。尚、以下の説明では、カップ付容器１におけるカップ３とカップホルダ６の入れやすさを検証するために行なった試験について説明するが、カップ付容器７におけるカップ９とカップホルダ１０の入れやすさについても、カップ付容器１と同様に取り扱うことができる。
【００６４】
図１０に示すように、カップ３として、高さＣを２０ｍｍ、嵌合筒部３ａの下端部の内径Ｆを１１ｍｍに設定し、カップ３の底面の外径Ｇを表１に示すように６つの大きさに変更した６種類のカップを作製した。
また、カップホルダ６として、高さＨを２０ｍｍ、吐出筒部６ｂの上端部の外径Ｉを１０ｍｍ、上端開口部の内径Ｊを４０ｍｍに設定したカップホルダを作製した。
【００６５】
そして、前記カップ３を片手で保持し、カップホルダ４の周壁上部にカップ３側面を沿わせ、その後、保持している手を離して、カップ３の嵌合筒部３ａがカップホルダ６の吐出筒部６ｂに嵌合して、カップ３がカップホルダ６に問題なく収納されるか否かの試験を、６種類のカップについてそれぞれ２０回行った。その結果を表１に示す。
【００６６】
評価基準は下記の通りに設定した。
○：２０回の試験のうち全て問題なく嵌合してカップホルダに収納された。
△：２０回の試験のうち１回以上１０回未満がカップホルダに収納されなかった。
×：２０回の試験のうち１０回以上がカップホルダに収納されなかった。
【００６７】
【表１】
2009227307.tif 000003
【００６８】
表１に示した通り、カップ底面外径が３８ｍｍ以上であれば全て問題なくカップがカップホルダに収納されて、入れやすさとしては最も良いことがわかった。また、カップ底面外径が３２ｍｍ以上であっても、カップホルダに収納される回数は半分以上であり、入れやすさとしては良いことがわかった。
【００６９】
これに対して、カップ底面外径が３０ｍｍ以下の場合には、半分以上の回数でカップがカップホルダに収容されないことがわかり、入れやすさとしては悪いことがわかった。
上記内容を言い換えれば、カップ底面外径Ｇがカップホルダ開口部内径Ｊの９５％以上であれば、入れやすさは最も良く、８０％以上であれば入れやすさは良いことがわかった。しかし、７５％以下の場合は、入れやすさは悪くなることがわかった。
【図面の簡単な説明】
【００７０】
【図１】（ａ）は手動ポンプを備えたカップ付容器の側面図であり、（ｂ）はその断面図である。
【図２】（ａ）は蓋部材を開けた状態でのカップ付容器の断面図であり、（ｂ）はカップを取り出した状態の断面図である。
【図３】カップホルダが初期位置に配置されている状態でのカップ付容器の手動ポンプ付近の拡大断面図である。
【図４】カップホルダを下降位置に操作した状態でのカップ付容器の手動ポンプ付近の拡大断面図である。
【図５】カップ付容器の使用方法の説明図である。
【図６】カップホルダにスカート部を備えさせた他の実施の形態のカップ付容器の断面図である。
【図７】（ａ）は押圧操作可能な容器本体を備えたカップ付容器の斜視図であり、（ｂ）は押圧操作可能な容器を備えたカップ付容器の断面図である。
【図８】（ａ）は蓋部材を開けた状態でのカップ付容器の断面図であり、（ｂ）は蓋部材とカップを取り出した状態でのカップ付容器の断面図である。
【図９】（ａ）は蓋部材を閉じた状態でのカップホルダの拡大断面図であり、（ｂ）は蓋部材を開けた状態でのカップホルダの拡大断面図である。
【図１０】手動ポンプを備えたカップ付容器の各部の寸法を説明する説明図である。
【符号の説明】
【００７１】
１      カップ付容器
２      吐出容器
３      カップ                  ３ａ    嵌合筒部
３ｂ    シール部                ３ｃ    突起
４      容器本体                ４ａ    口部
５      手動ポンプ              ５ａ    ポンプ本体
５ｂ    吐出管                  ５ｃ    ポンプ固定部材
５ｄ    吸い上げパイプ          ５ｅ    下端開口
５ｆ    開閉ボール              ５ｇ    ピストン部材
５ｈ    通路形成部              ５ｉ    鍔部
５ｊ    接当片                  ５ｋ    バネ部材
５ｎ    貯留室                  ５ｐ    ポンプケース
５ｑ    フランジ部              ５ｒ    栓部材
５ｓ    案内スリーブ            ５ｔ    位置決めピン
５ｕ    プラグ
６      カップホルダ            ６ａ    カップホルダ本体
６ｂ    吐出筒部                ６ｃ    蓋部材
６ｄ    固定部                  ６ｅ    切欠部
６ｆ    ガイド筒部              ６ｇ    内面
６ｈ    一体ヒンジ              ６ｉ    ガイド筒部の下端部
６ｊ    吐出筒部の上端部        ６ｋ    スカート部
７      カップ付容器
８      吐出容器
９      カップ                  ９ａ    嵌合筒部
９ｃ    シール部
１０    カップホルダ            １０ａ  カップホルダ本体
１０ｂ  吐出筒部                １０ｃ  蓋部材
１０ｄ  取付部                  １０ｅ  吐出管
１０ｆ  切欠部                  １０ｇ  吐出方向切替部
１０ｈ  吐出口                  １０ｉ  吐出筒部の上端近傍部
１０ｊ  封止栓                  １０ｋ  テーパ面
１０ｎ  吐出阻止片
１１    容器本体
【図１】
2009227307.tif 000004
【図２】
2009227307.tif 000005
【図３】
2009227307.tif 000006
【図４】
2009227307.tif 000007
【図５】
2009227307.tif 000008
【図６】
2009227307.tif 000009
【図７】
2009227307.tif 000010
【図８】
2009227307.tif 000011
【図９】
2009227307.tif 000012
【図１０】
2009227307.tif 000013